(57)【特許請求の範囲】
【請求項１】
車両の座席の乗員の側方で膨張展開するエアバッグクッションを備えたサイドエアバッグ装置において、
前記エアバッグクッションは、
袋状に形成されたメインパネルと、
前記メインパネルの内側に車両前後方向にかけ渡されて該エアバッグクッションの膨張展開時に緊張する前後方向緊張部と、
前記メインパネルの内側に車幅方向にかけ渡されて該エアバッグクッションの膨張展開時に緊張する車幅方向緊張部と、
を有し、
当該サイドエアバッグ装置はさらに、
一端および他端がそれぞれ、前記メインパネルの内側の車両前方側および車幅方向のいずれかの側に接合された第１テザーと、
一端および他端がそれぞれ、前記メインパネルの内側の車両後方側および車幅方向のいずれかの側であって第１テザーの他端とは反対側に接合された第２テザーとを備え、
第１テザーの一端から他端までの間の所定の第１箇所と、第２テザーの一端から他端までの間の所定の第２箇所とが互いに接合されていて、
前記前後方向緊張部は、第１テザーの一端から第１箇所までの部分と、第２テザーの一端から第２箇所までの部分とで構成され、
前記車幅方向緊張部は、第１テザーの他端から第１箇所までの部分と、第２テザーの他端から第２箇所までの部分とで構成されていることを特徴とするサイドエアバッグ装置。
【請求項２】
車両の座席の乗員の側方で膨張展開するエアバッグクッションを備えたサイドエアバッグ装置において、
前記エアバッグクッションは、
袋状に形成されたメインパネルと、
前記メインパネルの内側に車両前後方向にかけ渡されて該エアバッグクッションの膨張展開時に緊張する前後方向緊張部と、
前記メインパネルの内側に車幅方向にかけ渡されて該エアバッグクッションの膨張展開時に緊張する車幅方向緊張部と、
を有し、
前記車幅方向緊張部は、車両前後方向に貫通した所定の連絡孔を有し、
前記前後方向緊張部は、前記連絡孔を通って車両前後方向に延びていることを特徴とするサイドエアバッグ装置。
【請求項３】
車両の座席の乗員の側方で膨張展開するエアバッグクッションを備えたサイドエアバッグ装置において、
前記エアバッグクッションは、
袋状に形成されたメインパネルと、
前記メインパネルの内側に車両前後方向にかけ渡されて該エアバッグクッションの膨張展開時に緊張する前後方向緊張部と、
前記メインパネルの内側に車幅方向にかけ渡されて該エアバッグクッションの膨張展開時に緊張する車幅方向緊張部と、
を有し、
前記車幅方向緊張部は、前記メインパネルの内側の空間を複数のチャンバに仕切る分離壁であることを特徴とする記載のサイドエアバッグ装置。
【請求項４】
前記車幅方向緊張部は、前記メインパネルの内側の空間を複数のチャンバに仕切る分離壁であることを特徴とする請求項２に記載のサイドエアバッグ装置。
【請求項５】
車両の座席の乗員の側方で膨張展開するエアバッグクッションを備えたサイドエアバッグ装置において、
前記エアバッグクッションは、
袋状に形成されたメインパネルと、
前記メインパネルの内側に車両前後方向にかけ渡されて該エアバッグクッションの膨張展開時に緊張する前後方向緊張部と、
前記メインパネルの内側に車幅方向にかけ渡されて該エアバッグクッションの膨張展開時に緊張する車幅方向緊張部と、
を有し、
前記前後方向緊張部は、車幅方向に貫通した所定の連絡孔を有し、
前記車幅方向緊張部は、前記連絡孔を通って車幅方向に延びていることを特徴とするサイドエアバッグ装置。
【請求項６】
前記前後方向緊張部は、前記メインパネルの内側の空間を複数のチャンバに仕切る分離壁であることを特徴とする請求項１から５のいずれか１項に記載のサイドエアバッグ装置。
【請求項７】
車両の座席の乗員の側方で膨張展開するエアバッグクッションを備えたサイドエアバッグ装置において、
前記エアバッグクッションは、
袋状に形成されたメインパネルと、
前記メインパネルの内側の車両後方側に設けられてガスを供給するインフレータと、
基布から形成されて前記メインパネルの内側にて前記インフレータを囲んでガスを最初に受けるインナチューブと、
前記インナチューブの車両前方側に設けられて車両前後方向に貫通した所定の連絡孔と、
前記インナチューブの内側の車両後方側から前記連絡孔を通って前記メインパネルの車両前方側にかけ渡される前後方向緊張部と、
を有することを特徴とするサイドエアバッグ装置。
【請求項８】
前記連絡孔はガスを流通可能であることを特徴とする請求項２、４、５、７のいずれか１項に記載のサイドエアバッグ装置。
【発明の詳細な説明】
【技術分野】
【０００１】
本発明は、車両の座席の乗員の側方で膨張展開するエアバッグクッションを備えたサイドエアバッグ装置に関するものである。
【背景技術】
【０００２】
近年の車両にはエアバッグ装置がほぼ標準装備されている。エアバッグ装置は、車両衝突などの緊急時に作動する安全装置であって、ガス圧でエアバッグクッション（以下、単にクッションと記載する）を膨張展開させて乗員を受け止めて保護する。エアバッグ装置には、設置箇所や用途に応じて様々な種類がある。例えば、前後方向からの衝突から運転者を守るために、ステアリングの中央にはフロントエアバッグ装置が設けられている。その他にも、側面衝突等による車幅方向からの衝撃から乗員を守るために、サイドウィンドウの上方の天井付近にはカーテンエアバッグ装置が設けられ、座席の側部にはサイドエアバッグ装置が設けられている。
【０００３】
エアバッグクッションの形状は、乗員や周囲の構造物との位置関係などを考慮して設定されている。例えば、特許文献１に記載の車両用エアバッグは、助手席用の比較的容量の大きなエアバッグ本体を備えている。特許文献１では、乗員の頭部との位置関係を考慮して、エアバッグ本体の内側に膨張規制テザーを設けている。膨張規制テザーは、エアバッグ本体の基布を内側から引っ張ることでその膨張を抑えている。
【先行技術文献】
【特許文献】
【０００４】
【特許文献１】特開２０００−１４２２９０号公報
【発明の概要】
【発明が解決しようとする課題】
【０００５】
サイドエアバッグ装置のエアバッグクッションは、例えば、乗員とドアトリムとの間（ニアサイド）に膨張展開する。この場合、乗員とドアトリムとの間は狭いため、エアバッグクッションがドアトリムに過度に干渉して膨張展開の効率が下がる場合も考えられる。しかし、単に全体を車幅方向に薄くしただけのエアバッグクッションでは、求められる乗員拘束力を満たせないおそれがある。また、車種ごとのドアトリムとの位置関係に応じてエアバッグクッションの形状を変更していては非効率的である。
【０００６】
また、エアバッグクッションは、乗員の座席に対してドアと反対側（ファーサイド）に膨張展開する場合もある。その場合、エアバッグクッションは、座席の乗員が隣席の乗員と衝突または干渉する可能性を軽減し、または隣席に乗員がいないときには座席の乗員がファーサイド方向へ飛び出すことを軽減する。しかし、前述した車幅方向に薄くしたエアバッグクッションでは、これら乗員に加わり得るダメージの軽減化に要求される性能を満たせないおそれがある。
【０００７】
本発明は、このような課題に鑑み、簡潔な構成でエアバッグクッションの形状を調整可能なサイドエアバッグ装置を提供することを目的としている。
【課題を解決するための手段】
【０００８】
上記課題を解決するために、本発明にかかるサイドエアバッグ装置の代表的な構成は、車両の座席の乗員の側方で膨張展開するエアバッグクッションを備えたサイドエアバッグ装置において、エアバッグクッションは、袋状に形成されたメインパネルと、メインパネルの内側に車両前後方向にかけ渡されてエアバッグクッションの膨張展開時に緊張する前後方向緊張部と、メインパネルの内側に車幅方向にかけ渡されてエアバッグクッションの膨張展開時に緊張する車幅方向緊張部と、を有することを特徴とする。
【０００９】
上記の構成によれば、前後方向緊張部によってエアバッグクッションの車両前後方向の形状が調整され、車幅方向緊張部によってエアバッグクッションの車幅方向の形状が調整される。したがって、エアバッグクッションは、例えばニアサイド側にあっては乗員とドアトリムとの間が狭くても円滑に膨張展開することができる。上記構成では、エアバッグクッションの形状を部分的に調節することを可能にしているため、例えば単にエアバッグクッションの全体を車幅方向に薄くした場合等に比べて、エアバッグクッションの容量の減少を抑えている。そのため、エアバッグクッションの乗員拘束力等の性能を低下させない。したがって、上記のエアバッグクッションは、例えばファーサイド側にあっても、乗員に加わるダメージの軽減化を十全に果たすことができる。
【００１０】
上記構成によると、エアバッグクッションの膨張を適度に規制することで、より高い圧力で乗員を拘束することもできる。加えて、上記構成は、エアバッグクッションの形状を変化させるにあたってメインパネルの形状や縫製の仕方等を変更する必要がないため、低廉であって汎用性も高いため有益である。
【００１１】
当該サイドエアバッグ装置は、一端および他端がそれぞれ、メインパネルの内側の車両前方側および車幅方向のいずれかの側に接合された第１テザーと、一端および他端がそれぞれ、メインパネルの内側の車両後方側および車幅方向のいずれかの側であって第１テザーの他端とは反対側に接合された第２テザーとを備え、第１テザーの一端から他端までの間の所定の第１箇所と、第２テザーの一端から他端までの間の所定の第２箇所とが互いに接合されていて、前後方向緊張部は、第１テザーの一端から第１箇所までの部分と、第２テザーの一端から第２箇所までの部分とで構成され、車幅方向緊張部は、第１テザーの他端から第１箇所までの部分と、第２テザーの他端から第２箇所までの部分とで構成されていてもよい。
【００１２】
上記構成によれば、前後方向緊張部および車幅方向緊張部を、２枚のテザーを利用した簡潔な構成で実現できる。
【００１３】
上記の車幅方向緊張部は、車両前後方向に貫通した所定の連絡孔を有し、前後方向緊張部は、連絡孔を通って車両前後方向に延びていてもよい。
【００１４】
上記構成では、車幅方向緊張部および前後方向緊張部が互いに独立して動くことができる。したがって、メインパネルに乗員や周囲の構造物等が接触した場合に、車幅方向緊張部および前後方向緊張部を互いに移動させて、エアバッグクッションの形状を適度に変化させることができる。
【００１５】
上記の車幅方向緊張部は、メインパネルの内側の空間を複数のチャンバに仕切る分離壁であってもよい。例えば、車両前方側の前方チャンバと、車両後方側の後方チャンバとに仕切る分離壁として実施することもできる。この構成によって、車幅方向緊張部を簡潔に実現できる。
【００１６】
上記の前後方向緊張部は、車幅方向に貫通した所定の連絡孔を有し、車幅方向緊張部は、連絡孔を通って車幅方向に延びていてもよい。この構成によっても、車幅方向緊張部および前後方向緊張部が互いに独立して動くことができる。したがって、メインパネルに乗員や周囲の構造物等が接した際に、車幅方向緊張部および前後方向緊張部を互いに移動させて、エアバッグクッションの全体形状を適度に変化させることができる。
【００１７】
上記の前後方向緊張部は、メインパネルの内側の空間を複数のチャンバに仕切る分離壁であってもよい。例えば、メインパネルの内側の空間を、車幅方向の乗員側のチャンバと、乗員とは反対側のチャンバとに仕切る分離壁として実施することができる。この構成によっても、前後方向緊張部を簡潔に実施できる。
【００１８】
本発明にかかるサイドエアバッグ装置の他の構成は、車両の座席の乗員の側方で膨張展開するエアバッグクッションを備えたサイドエアバッグ装置において、エアバッグクッションは、袋状に形成されたメインパネルと、メインパネルの内側の車両後方側に設けられてガスを供給するインフレータと、基布から形成されてメインパネルの内側にてインフレータを囲んでガスを最初に受けるインナチューブと、インナチューブの車両前方側に設けられて車両前後方向に貫通した所定の連絡孔と、インナチューブの内側の車両後方側から連絡孔を通ってメインパネルの車両前方側にかけ渡される前後方向緊張部と、を有することを特徴とする。
【００１９】
上記構成によれば、前後方向緊張部によってエアバッグクッションの車両前後方向の形状を規制し、エアバッグクッションを目的に応じた形状に調整できる。また、エアバッグクッションの膨張を適度に規制することで、より高い圧力で乗員を拘束することができる。加えて、前後方向緊張部は、連絡孔を通ることでインナチューブとは独立して動くことができる。したがって、メインパネルに乗員等が接触した場合に、エアバッグクッションの形状を適度に変化させることができる。
【００２０】
上記の連絡孔はガスを流通可能であってもよい。この構成であれば、連絡孔をガスを流通させるベントホールとしても利用できる。
【発明の効果】
【００２１】
本発明によれば、簡潔な構成でエアバッグクッションの形状を調整可能なサイドエアバッグ装置を提供することが可能になる。
【図面の簡単な説明】
【００２２】
【図１】本発明の第１実施形態にかかるサイドエアバッグ装置を例示した図である。
【図２】図１（ｂ）の前後方向緊張部および車幅方向緊張部を各方向から例示した図である。
【図３】図２（ａ）のクッションが乗員を拘束する様子を例示した図である。
【図４】本発明の第２実施形態にかかるサイドエアバッグ装置を例示した図である。
【図５】本発明の第３実施形態にかかるサイドエアバッグ装置を例示した図である。
【図６】本発明の第４実施形態にかかるサイドエアバッグ装置を例示した図である。
【発明を実施するための形態】
【００２３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
（第１実施形態）
図１は、本発明の第１実施形態にかかるサイドエアバッグ装置１００を例示した図である。図１（ａ）ではサイドエアバッグ装置１００、およびこのサイドエアバッグ装置１００が適用されている車両右側の座席１０２を、車幅方向の内側から例示している。図１（ａ）その他の本願のすべての図面において、車両前後方向をそれぞれ矢印F(Forward)、B(Back)、車幅方向の左右をそれぞれ矢印L(Left)、R(Right)、車両上下方向をそれぞれ矢印U(up)、D(down)で例示する。
【００２５】
図１（ａ）に例示するように、サイドエアバッグ装置１００はニアサイド用であって、エアバッグクッション（クッション１０４）が座席１０２の車幅方向の外側（車外側）の側方で膨張展開する構成となっている。クッション１０４は、車両に衝撃が発生した場合などの緊急時に乗員を受け止める袋状の部位であって、座席１０２の乗員とドアトリムとの間に扁平な形状に膨張展開する。
【００２６】
クッション１０４の外表面は、メインパネル１０６（メインパネル１０６ａ、１０６ｂ）が構成している。メインパネル１０６は基布から作られていて、縫製や接着などによって袋状に形成されている。
【００２７】
クッション１０４は、シートバック１０８の側部に備えられたハウジング（図示省略）に、巻回または折り畳まれて収納されている。収納状態のクッション１０４は、その上をシートカバー等が覆っているため、外部からは視認不能である。サイドエアバッグ１００の稼動時には、クッション１０４はシートカバー等を開裂させて乗員の側方へ膨張展開し、乗員を側方から拘束する。
【００２８】
インフレータ１１０はガス発生装置であって、衝撃発生時に車両側から発信される稼働信号を受けて稼働し、クッション１０４の内部にガスを供給する。本実施形態で採用しているインフレータ１１０は、シリンダ型（筒型）のものであり、クッション１０４の内部の車両後方側に、長手方向を上下方向に向けて設置される。インフレータ１１０にはスタッドボルト１１２が設けられている。スタッドボルト１１２はクッション１０４を貫通してシートバック１０８の側部のハウジング等に締結される。
【００２９】
現在普及しているインフレータには、ガス発生剤が充填されていてこれを燃焼させてガスを発生させるタイプや、圧縮ガスが充填されていて熱を発生させることなくガスを供給するタイプ、または燃焼ガスと圧縮ガスとを両方利用するハイブリッドタイプのものなどがある。インフレータ１１０としては、いずれのタイプのものも利用可能である。
【００３０】
図１（ｂ）は、図１（ａ）のクッション１０４の車内側の一部を例示した図である。図１（ｂ）では、クッション１０４の上部にて車内側のメインパネル１０６ａの車内側の一部を省略し、その内部構成を例示している。
【００３１】
本実施形態では、クッション１０４のやや上部には、前後方向緊張部１１４および車幅方向緊張部１１６が設けられている。前後方向緊張部１１４および車幅方向緊張部１１６は、それぞれの方向にメインパネル１０６を引っ張る部材である。当該サイドエアバッグ装置１００では、前後方向緊張部１１４および車幅方向緊張部１１６を用いた簡潔な構成でクッション１０４の形状を調整可能にしている。
【００３２】
図２は、図１（ｂ）の前後方向緊張部１１４および車幅方向緊張部１１６を各方向から例示した図である。図２（ａ）は図１（ｂ）のＡ−Ａ断面図である。前後方向緊張部１１４は、メインパネル１０６の内側に車両前後方向にかけ渡されている。前後方向緊張部１１４は、エアバッグクッション１０４の膨張展開時に車両前後方向に緊張し、メインパネル１０６を車両前後方向に引っ張る。前後方向緊張部１１４によって、エアバッグクッション１０４の膨張展開後の車両前後方向の形状が調整される。
【００３３】
車幅方向緊張部１１６は、メインパネル１０６の内側に車幅方向にかけ渡されている。車幅方向緊張部１１６は、エアバッグクッション１０４の膨張展開時に車幅方向に緊張し、メインパネルを車幅方向に引っ張る。車幅方向緊張部１１６によって、エアバッグクッション１０４の膨張展開後の車幅方向の形状が調整される。
【００３４】
図２（ｂ）は、図１（ｂ）の前後方向緊張部１１４および車幅方向緊張部１１６の分解図である。前後方向緊張部１１４および車幅方向緊張部１１６は、基布から作られた２枚のテザー部材（第１テザー１１８および第２テザー１２０）を利用して設けられている。
【００３５】
第１テザー１１８と第２テザー１２０は、互いに接合され、それぞれＬ字になって取り付けられる。詳しくは、第１テザー１１８の一端１２２から他端１２４までの間の所定の第１箇所１２６と、第２テザー１２０の一端１２８から他端１３０までの間の所定の第２箇所１３２とが互いに縫製にされ、接合される。
【００３６】
図２（ａ）に例示するように、第１テザー１１８は、一端１２２がメインパネル１０６の内側の車両前方側に接合され、他端１２４がメインパネル１０６の内側の車幅方向の車内側に接合される。第２テザー１２０は、一端１２８がメインパネル１０６の内側の車両後方側に接合され、他端１３０がメインパネル１０６の内側の車幅方向の車外側に接合される。このように、第１テザー１１８および第２テザー１２０の各端部は、互いに反対側に接合される。なお、第１テザー１１８の一端１２２および第２テザー１２０の一端１２８は、メインパネル１０６ａ、１０６ｂの外周に挟んでこれらと共に縫製することが可能である。
【００３７】
本実施形態では、前後方向緊張部１１４は、第１テザー１１８の一端１２２から第１箇所１２６までの部分と、第２テザー１２０の一端１２８から第２箇所１３２までの部分とで構成されている。車幅方向緊張部１１６は、第１テザー１１８の他端１２４から第１箇所１２６までの部分と、第２テザー１２０の他端１３０から第２箇所１３２までの部分とで構成されている。このように、本実施形態では、前後方向緊張部１１４および車幅方向緊張部１１６を、２枚のテザー部材を利用した簡潔な構成で実現している。
【００３８】
図３は、図２（ａ）のクッション１０４が乗員１３４を拘束する様子を例示した図である。本実施形態では、上述した前後方向緊張部１１４および車幅方向緊張部１１６によって、クッション１０４の形状が調整される。
【００３９】
クッション１０４は、前後方向緊張部１１４によって車両前後方向の形状が調整され、車幅方向緊張部１１６によって車幅方向の形状が調整される。このようにクッション１０４の形状を調整することで、例えば乗員１３４とドアトリム１３６との間が狭い場合にも、クッション１０４を円滑に膨張展開させることができる。また、クッション１０４は、前後方向緊張部１１４および車幅方向緊張部１１６によって、膨張が適度に規制される。これによって、クッション１０４は、より高い圧力で乗員を拘束することができる。
【００４０】
前後方向緊張部１１４および車幅方向緊張部１１６は、メインパネル１０６を乗員に合わせた形状に膨張させることも可能である。例えば、車幅方向緊張部１１６によって、車内側のメインパネル１０６ａの中央に窪み１３８が形成されている。窪み１３８を形成することで、例えば乗員１３４の肩１４０に対する接触面積が増加する。メインパネル１０６の乗員１３４との接触の初期における接触面積を増加させることは、クッション１０４の乗員拘束力を高め、乗員１３４の車外放出量を抑えることにも貢献する。
【００４１】
本実施形態であれば、クッション１０４の形状を変化させるにあたってメインパネル１０６の形状や縫製の仕方等を変更する必要がないため、低廉であって汎用性も高いため有益である。
【００４２】
本実施形態では、クッション１０４の形状を部分的に調節することを可能にしているため、例えば単にクッションの全体を車幅方向に薄くした場合等に比べて、クッション１０４の容量の減少を抑えている。そのため、クッション１０４の乗員拘束力等の性能を低下させない。したがって、本実施形態ではニアサイド側でクッション１０４を実施しているが、クッション１０４は例えばファーサイド側にて実施した場合にも乗員のファーサイドへの移動等を防ぎ、乗員に加わり得るダメージの軽減化を十全に果たすことができる。
【００４３】
（第２実施形態）
図４は、本発明の第２実施形態にかかるサイドエアバッグ装置２００を例示した図である。以降の記載において、既に説明した構成要素については、同じ符号を付することによって、その説明を省略する。また、異なる符号が付された構成要素であっても、既に説明した構成要素と同じ名称のものは、同じ構成および機能を有するものとする。
【００４４】
図４（ａ）は、サイドエアバッグ装置２００の備えるエアバッグクッション（クッション２０２）の外形を例示した図である。クッション２０２は、メインパネル１０６ａの車両前後方向の中央付近に、上下方向にわたって窪み２０４が形成されている。
【００４５】
図４（ｂ）は、図４（ａ）のクッション２０２の車内側の一部を例示した図である。本実施形態では、車幅方向緊張部として、分離壁（バッフル２０６）が設けられている。バッフル２０６は、基布から作られた部位であり、メインパネル１０６の内側の空間を車両前方側の前方チャンバ２０８と車両後方側の後方チャンバ２１０との複数のチャンバに仕切っている。
【００４６】
前後方向緊張部２１２は、帯状であって、バッフル２０６を貫いて車両前後方向に延びている。前後方向緊張部２１２は、バッフル２０６の所定の連絡孔２１４を通っている。連絡孔２１４は、バッフル２０６のやや上部側にて、車両前後方向に貫通して設けられている。連絡孔２１４は、ガスを後方チャンバ２１０から前方チャンバ２０８へと流通させるベントホールとしても機能できる。
【００４７】
図４（ｃ）は、図４（ｂ）のＢ−Ｂ断面図である。バッフル２０６は、メインパネル１０６の内側に車幅方向にかけ渡されている。バッフル２０６は、クッション２０２の膨張展開時に車幅方向に緊張し、メインパネル１０６を車幅方向に引っ張る。バッフル２０６によって、クッション２０２の車幅方向の形状が調整される。
【００４８】
前後方向緊張部２１２は、メインパネル１０６の内側に車両前後方向にかけ渡されている。前後方向緊張部２１２は、クッション２０２の膨張展開時に車両前後方向に緊張してメインパネル１０６を車両前後方向に引っ張る。前後方向緊張部２１２によって、クッション２０２の車両前後方向の形状が調整される。前後方向緊張部２１２は、メインパネル１０６ａ、１０６ｂの外周に挟まれてこれらと共に縫製されている。本実施形態においても、バッフル２０６と、帯状の前後方向緊張部２１２とを設けた簡潔で低廉な構成となっている。
【００４９】
本実施形態では、前後方向緊張部２１２がバッフル２０６の連絡孔２１４を通っていて、前後方向緊張部２１２とバッフル２０６とは接合していない。したがって、前後方向緊張部２１２とバッフル２０６とは、互いに独立して動くことができる。これによって、例えば、メインパネル１０６に乗員や周囲の構造物等が接触した場合に、車幅方向緊張部１１６およびバッフル２０６を互いに移動させて、クッション２０２の形状を適度に変化させることができる。
【００５０】
図４（ａ）に例示したように、クッション２０２にも、バッフル２０６によって、車内側のメインパネル１０６ａの中央に窪み２０４が形成されている。窪み２０４を形成することで、図３のクッション１０４と同様に、乗員１３４の肩１４０や頭部１４１等に対する接触面積が増加する。クッション２０２も、メインパネル１０６ａの乗員との接触面積を増加させることで、乗員１３４の車外放出量を抑えることが可能である。
【００５１】
（第３実施形態）
図５は、本発明の第３実施形態にかかるサイドエアバッグ装置２３０を例示した図である。図５（ａ）は、サイドエアバッグ装置２３０の備えるクッション２３２の外形を例示した図である。クッション２３２は、メインパネル１０６ａのやや上部側に窪み２３４が形成されている。
【００５２】
図５（ｂ）は、図５（ａ）のクッション２３２の車内側の一部を例示した図である。前後方向緊張部２３６および車幅方向緊張部２３８は、共に帯状であって、前後方向緊張部２３６のほうが幅広になっている。前後方向緊張部２３６は車幅方向に貫通した所定の連絡孔２４０を有していて、車幅方向緊張部２３８は連絡孔２４０を通って車幅方向に延びている。
【００５３】
図５（ｃ）は、図５（ｂ）のＣ−Ｃ断面図である。前後方向緊張部２３６および車幅方向緊張部２３８も、交差して延びている。前後方向緊張部２３６は、メインパネル１０６の内側に車両前後方向にかけ渡されていて、クッション２３２の膨張展開時に車両前後方向に緊張してメインパネル１０６を車両前後方向に引っ張る。前後方向緊張部２３６によって、クッション２３２の車両前後方向の形状が調整される。前後方向緊張部２３６も、メインパネル１０６の外周と共に縫製されている。
【００５４】
車幅方向緊張部２３８は、メインパネル１０６の内側に車幅方向にかけ渡されていて、クッション２３２の膨張展開時に車幅方向に緊張してメインパネル１０６を車幅方向に引っ張る。車幅方向緊張部２３８によって、クッション２３２の車幅方向の形状が調整される。
【００５５】
車幅方向緊張部２３８は、前後方向緊張部２３６の連絡孔を通っていて、前後方向緊張部２３６とは接合していない。したがって、車幅方向緊張部２３８と前後方向緊張部２３６とは、互いに独立して動くことができる。これによって、例えば、メインパネル１０６に乗員や周囲の構造物等が接触した場合に、車幅方向緊張部２３８および前後方向緊張部２３６を互いに移動させて、クッション２３２の形状を適度に変化させることができる。
【００５６】
図５（ａ）に例示したように、クッション２３２にも、車幅方向緊張部２３８によって、メインパネル１０６の車内側に窪み２３４が形成されている。窪みを形成することで、図３のクッション２３２と同様に、乗員１３４の肩１４０や頭部１４１等に対する接触面積が増加する。クッション２３２も、メインパネル１０６ａの乗員１３４との接触面積を増加させることで、乗員１３４の車外放出量を抑えることが可能である。
【００５７】
なお、前後方向緊張部２３６は、図５（ｂ）中では帯状であるが、さらに上下方向の幅を広くしてバッフル（分離壁）としても簡潔に実施できる。バッフルとして実施された前後方向緊張部は、メインパネル１０６の内側の空間を、例えば車内側（車幅方向の乗員側）のチャンバと、車外側（乗員とは反対側）のチャンバなど、図４（ｂ）のバッフル２０６と同様に複数のチャンバに仕切ることができる。バッフルとして実施された前後方向緊張部によれば、帯状の前後方向緊張部２３６と同様の機能のほか、上下方向により広い範囲にわたってクッション２３２の車両前後方向の形状を調整可能である。
【００５８】
（第４実施形態）
図６は、本発明の第４実施形態にかかるサイドエアバッグ装置２６０を例示した図である。図６（ａ）は、サイドエアバッグ装置２６０の備えるクッション２６２の外形を例示した図である。クッション２６２は、車両前後方向の形状を調整することが可能になっている。
【００５９】
図６（ｂ）は、図６（ａ）のクッション２６２の車内側の一部を例示した図である。クッション２６２は、外側のメインパネル１０６と、内側のインナチューブ２６４との二重構造になっている。メインパネル１０６およびインナチューブ２６４は、ともに袋状に形成されている。
【００６０】
インナチューブ２６４は、基布から形成されていて、メインパネル１０６の内側にてインフレータ１１０を囲んでガスを最初に受ける。インナチューブ２６４は、クッション２６２の内部の車両後側に設けられている。インナチューブ２６４の車両前方側には、連絡孔２６６が設けられている。連絡孔２６６は、車両前後方向に貫通していて、前後方向緊張部２３６を通している。連絡孔２６６は、いわゆるベントホールとしても機能し、インナチューブ２６４の内部から車両前方側へとガスを流通させる。
【００６１】
前後方向緊張部２６８は、帯状であって、インナチューブ２６４の連絡孔２６６を通って、車両前後方向に延びている。
【００６２】
図６（ｃ）は、図６（ｂ）のＤ−Ｄ断面図である。インナチューブ２６４は、基布の一部をメインパネル１０６の外周に重ねてこれと共に縫製等することで設けられている。この構成によれば、インナチューブ２６４の展開時に、インナチューブ２６４の車両後方側の端部のはためきが抑えられるため、展開の挙動を安定化させることができる。
【００６３】
前後方向緊張部２６８は、インナチューブ２６４の内側の車両後方側から連絡孔２６６を通ってメインパネル１０６の車両前方側にかけ渡される。前後方向緊張部２６８は、メインパネル１０６の外周と共に縫製されている。
【００６４】
上記構成によれば、前後方向緊張部２６８によってクッション２６２の車両前後方向の形状を規制し、クッション２６２を目的に応じた形状に調整できる。また、クッション２６２の膨張を適度に規制することで、より高い圧力で乗員を拘束することができる。加えて、前後方向緊張部２６８は、連絡孔２６６を通ることでインナチューブ２６４とは独立して動くことができる。したがって、メインパネル１０６に乗員等が接触した場合に、クッション２６２の形状を適度に変化させることができる。
【００６５】
以上、添付図面を参照しながら本発明の好適な実施例について説明したが、以上に述べた実施形態は、本発明の好ましい例であって、これ以外の実施態様も、各種の方法で実施または遂行できる。特に本願明細書中に限定される主旨の記載がない限り、この発明は、添付図面に示した詳細な部品の形状、大きさ、および構成配置等に制約されるものではない。また、本願明細書の中に用いられた表現および用語は、説明を目的としたもので、特に限定される主旨の記載がない限り、それに限定されるものではない。
【００６６】
したがって、当業者であれば、特許請求の範囲に記載された範疇内において、各種の変更例または修正例に想到し得ることは明らかであり、それらについても当然に本発明の技術的範囲に属するものと了解される。
【００６７】
例えば、第１実施形態の後段で述べたように、上記各実施形態のクッションはファーサイド用としても適用可能である。また、第２および第３実施形態で例示したバッフルは、例えばメインパネル１０６の内側を複数のチャンバに仕切るものでなくてもよく、また例えばメインパネル１０６の内側に部分的に設けられるものであってもよい。バッフルは１つのクッションに複数設けることも可能であり、その場合、例えばメインパネル１０６の内側の空間を３室以上のチャンバに区切ることもできる。さらには、１つのクッションの内部に、第２および第３実施形態で例示したバッフルと第４実施形態で例示したインナチューブとを共に設置することも可能である。
【産業上の利用可能性】
【００６８】
本発明は、車両の座席の乗員とドアトリムとの間に膨張展開するエアバッグクッションを備えたサイドエアバッグ装置に利用することができる。
【符号の説明】
【００６９】
１００…第１実施形態のサイドエアバッグ装置、１０２…座席、１０４…クッション、１０６…メインパネル、１０６ａ…車内側のメインパネル、１０６ｂ…車外側のメインパネル、１０８…シートバック、１１０…インフレータ、１１２…スタッドボルト、１１４…前後方向緊張部、１１６…車幅方向緊張部、１１８…第１テザー、１２０…第２テザー、１２２…第１テザーの一端、１２４…第１テザーの他端、１２６…第１テザーの第１箇所、１２８…第２テザーの一端、１３０…第２テザーの他端、１３２…第２テザーの第２箇所、１３４…乗員、１３６…ドアトリム、１３８…窪み、１４０…肩、１４１…頭部、２００…第２実施形態のサイドエアバッグ装置、２０２…クッション、２０４…窪み、２０６…バッフル、２０８…前方チャンバ、２１０…後方チャンバ、２１２…前後方向緊張部、２１４…連絡孔、２３０…サイドエアバッグ装置、２３２…クッション、２３４…窪み、２３６…前後方向緊張部、２３８…車幅方向緊張部、２４０…連絡孔、２６０…サイドエアバッグ装置、２６２…クッション、２６４…インナチューブ、２６６…連絡孔、２６８…前後方向緊張部
【図１】
0006372041.tif 000002
【図２】
0006372041.tif 000003
【図３】
0006372041.tif 000004
【図４】
0006372041.tif 000005
【図５】
0006372041.tif 000006
【図６】
0006372041.tif 000007